(57)【要約】【課題】利用者にとって利便性のたかいネイル樹脂用光照射装置を提供する。【解決手段】ネイル樹脂硬化用光照射装置１は、指先の腹に対向する腹側カバー部材２０と、指先の少なくとも爪を覆うように配置される爪側カバー部材３０と、爪に光を照射する光源４０を備えるようにし、更に、腹側カバー部材２０には、指先に設けられるネイル樹脂保持部材の一部を収容する収容部２２が、少なくとも指先の近傍に形成されるようにした。【選択図】図１
2014204900.tif 000002
【特許請求の範囲】
【請求項１】
指先の腹に対向する腹側カバー部材と、
前記指先の少なくとも爪を覆うように配置される爪側カバー部材と、
前記爪に光を照射する光源と、を備え、
前記腹側カバー部材には、前記指先に設けられるネイル樹脂保持部材の一部を収容する収容部が、少なくとも前記指先の近傍に形成されることを特徴とする、
ネイル樹脂硬化用光照射装置。
【請求項２】
前記腹側カバー部材は、少なくとも４本の前記指先の腹に対向しており、
前記腹側カバー部材には、前記収容部が、前記少なくとも４本の前記指先の前記ネイル樹脂保持部材の一部を収容することを特徴とする、
請求項１に記載のネイル樹脂硬化用光照射装置
【請求項３】
前記収容部は、前記指先の指幅よりも狭い領域を含むことを特徴とする、
請求項１又は２に記載のネイル樹脂硬化用光照射装置。
【請求項４】
前記収容部は、前記指先の長手方向に沿ったスリット形状であることを特徴とする、
請求項１乃至３のいずれかに記載のネイル樹脂硬化用光照射装置。
【請求項５】
前記収容部の周囲に、前記指先の前記腹と当接する突起が形成されることを特徴とする、請求項１乃至４のいずれかに記載のネイル樹脂硬化用光照射装置。
【請求項６】
前記光源は、前記爪に対向配置されて前記爪の表面に光を照射する対向側光源と、前記指の延長線上近傍に配置されて、指先に向かって光を照射する前記指先側光源を備えることを特徴とする、
請求項１乃至５のいずれかに記載のネイル樹脂硬化用光照射装置。
【請求項７】
前記爪側カバー部材の内壁には、前記光を吸収する光吸収面が形成されることを特徴とする、
請求項１乃至６のいずれかに記載のネイル樹脂硬化用光照射装置。
【発明の詳細な説明】
【技術分野】
【０００１】
本発明は、爪に塗布したネイルジェルを、光によって硬化させるネイル樹脂硬化用光照射装置に関する。
【背景技術】
【０００２】
従来、ネイルサロン等の店舗では、顧客の手や足の爪にネイルジェルを塗布し、このネイルジェルに光を照射して、その場で硬化させる。この際、ネイル樹脂硬化用光照射装置（以下、光照射装置）が用いられる（例えば特許文献１参照）。
【０００３】
ネイルジェルは、紫外線硬化性樹脂を用いることが一般的であり、光照射装置から紫外線を照射して短時間で硬化させる。ネイルジェルによって、手足の実際の爪から先端側に、儀爪を拡張させることができる。
【０００４】
ネイルジェルで用いる紫外線硬化性樹脂には、様々なタイプがある。主に溶剤で溶けないハードジェルと、溶剤で溶かすことができるソフトジェルが存在する。近年、溶剤で溶かすことができるソフトジェルが普及してきており、このソフトジェルを硬化させるためには、波長が４０５ｎｍの紫外線が好ましいとされる。従って、光照射装置に、波長４０５ｎｍの紫外線を照射できるＬＥＤが搭載され、これによりソフトジェルを数十秒で硬化させる技術も提案されている（例えば特許文献２参照）。
【先行技術文献】
【特許文献】
【０００５】
【特許文献１】実用新案登録第３０４２１６６号
【特許文献２】実用新案登録第３１７９７７７号
【発明の概要】
【発明が解決しようとする課題】
【０００６】
図１３（Ａ）〜（Ｄ）には、ネイルサロンにおいて、ネイルジェルを用いて儀爪を形成する作業過程が示されている。ネイリストは、儀爪の無い指先（図１３（Ａ）参照）に対して、拡張シール１１０を巻きつける（図１３（Ｂ）参照）。この拡張シール１１０は、指の先端側を更にその先に拡張するように筒状に巻きつけられる。
【０００７】
拡張シール１１０は、ネイルジェルを塗布するための延長面１１１を提供する。この拡張シール１１０には、爪に対応する部分に開口１１０Ａが形成される。結果、開口１１０Ａから実際の爪を露出させることで、延長面１１１が爪から連なった状態となる。爪と拡張面１１１に同時にネイルジェルを塗布して硬化させていけば、実際の爪から連続するように儀爪を形成できる。以上の通り、拡張シール１１０は、ネイルジェルを一時的に保持するネイルジェル保持部材として機能する。
【０００８】
指先を光照射装置に挿入する際、拡張シール１１０の指の腹側に残っているシール端部１１２が邪魔となる。シール端部１１２が光照射装置に引っかかると、延長面１１１が変形して儀爪の形状が歪む。従って、ネイリストは、予めこのシール端部１１２をハサミでカットする（図１３（Ｃ）参照）。
【０００９】
その後、ネイリストは、延長面１１１にジェルネイルを塗布し（図１３（Ｄ）参照）、光照射装置内に指先を入れて紫外線を照射してその場でジェルネイルを硬化させる。この工程を繰り返しながら所望サイズの儀爪を形成していく。
【００１０】
しかしながら、ネイリストは、シール端部１１２をカットする為に、顧客の指先に刃物を近づけることは、安全面から出来る限り避けたい。また、対面で接客を行うネイリストにとって、シール端部１１２をハサミでカットする際、ハサミの先端が顧客側に向いてしまう。顧客によっては、ハサミによるシール端部１１２のカット作業に恐怖を感じる場合もある。
【００１１】
更に、シール端部１１２をカットすることによって、拡張シール１１０の接着面積が減少するので、作業中に拡張シール１１０が、指からはがれやすくなるという問題がある。
【００１２】
本発明は、斯かる実情に鑑みてなされたものであり、拡張シールを用いる場合であっても、利便性の高い光照射装置を提供しようとするものである。
【課題を解決するための手段】
【００１３】
本発明者らの鋭意研究によって、上記目的は以下の手段によって達成される。
【００１４】
即ち、上記目的を達成するネイル樹脂硬化用光照射装置は、指先の腹に対向する腹側カバー部材と、前記指先の少なくとも爪を覆うように配置される爪側カバー部材と、前記爪に光を照射する光源と、を備え、前記腹側カバー部材には、前記指先に設けられるネイル樹脂保持部材の一部を収容する収容部が、少なくとも前記指先の近傍に形成されることを特徴とする。
【００１５】
上記目的に関連して、上記ネイル樹脂硬化用光照射装置の前記腹側カバー部材は、少なくとも４本の前記指先の腹に対向しており、前記腹側カバー部材には、前記収容部が、前記少なくとも４本の前記指先の前記ネイル樹脂保持部材の一部を収容するようにしてもよい。
【００１６】
上記目的に関連して、上記ネイル樹脂硬化用光照射装置の記収容部は、前記指先の指幅よりも狭い領域を含むようにしてもよい。
【００１７】
上記目的に関連して、上記ネイル樹脂硬化用光照射装置の前記収容部は、前記指先の長手方向に沿ったスリット形状としてもよい。
【００１８】
上記目的に関連して、上記ネイル樹脂硬化用光照射装置の前記収容部の周囲に、前記指先の前記腹と当接する突起が形成されるようにしてもよい。
【００１９】
上記目的に関連して、上記ネイル樹脂硬化用光照射装置の前記光源は、前記爪に対向配置されて前記爪の表面に光を照射する対向側光源と、前記指の延長線上近傍に配置されて、指先に向かって光を照射する前記指先側光源を備えるようにしてもよい。
【００２０】
上記目的に関連して、上記ネイル樹脂硬化用光照射装置の前記爪側カバー部材の内壁には、前記光を吸収する光吸収面が形成されるようにしてもよい。
【発明の効果】
【００２１】
本発明によれば、拡張シールを用いるような作業工程であっても、拡張シールのカット作業を省略することができ、安全・確実にネイル樹脂を硬化させることが可能になる。
【図面の簡単な説明】
【００２２】
【図１】本発明の実施形態に係る光照射装置の（Ａ）斜視図、（Ｂ）中心線に沿った鉛直方向断面図である。
【図２】同光照射装置の上部筐体、内カバー及びＬＥＤ光源群を下側から臨む底面図である。
【図３】同光照射装置のＬＥＤ光源群と手の配置関係を示す平面図である。
【図４】同光照射装置の指配置用テーブルを示す平面図である。
【図５】同指配置用テーブルの収容部と、指先に巻かれるネイル樹脂保持部材の位置関係を示す（Ａ）側面部分断面図、（Ｂ）平面図、（Ｃ）指先側から視た部分断面図である。
【図６】同指配置用テーブルの他の構成例を示す平面図である。
【図７】同指配置用テーブルの他の構成例を示す（Ａ）側面部分断面図、（Ｂ）指先側から視た部分断面図である。
【図８】同指配置用テーブルの他の構成例を示す平面図である。
【図９】同指配置用テーブルの他の構成例を示す側面部分断面図である。
【図１０】同指配置用テーブルを手前側に引き出した状態を示す斜視図である。
【図１１】同光照射装置のＬＥＤ光源群の回路構成を示す図である。
【図１２】他の実施形態に係るペン型タイプの光照射装置を示す（Ａ）断面図、（Ｂ）斜視図である。
【図１３】ネイルサロンにおける拡張シールを用いた儀爪形成工程を示す図である。
【発明を実施するための形態】
【００２３】
以下、本発明の実施の形態を、添付図面を参照して説明する。
【００２４】
図１には、本発明の実施形態に係るネイル樹脂硬化用光照射装置（以下光照射装置）１の全体構成が示されている。なお、図１（Ａ）は斜視図であり、図１（Ｂ）は、中心線に沿った断面図である。
【００２５】
光照射装置１は、上部筐体１０、下部筐体１６、指配置用テーブル（腹側カバー部材）２０、内カバー（爪側カバー部材）３０、ＬＥＤ光源群４０、配線基板４２、電源装置５０、制御装置６０、電源ケーブル７０を備える。
【００２６】
上部筐体１０は、挿入される手足の上方全体を覆い隠すようにドーム形状に形成されている。具体的に上部筐体４２は、上方に配置される天井部１０Ａ、手足の側面に配置される左右の側面部１０Ｂ、手足の先端方向に配置される奥部１０Ｃを有しており、利用者側に挿入口１０Ｄが開口する。天井部１０Ａの上面には、操作領域１２が形成される。この操作領域１２は、利用者と反対側に向いており、利用者と対面するネイリストが操作する。操作領域１２には、電源ボタン１２Ａ、オート設定ボタン１２Ｂ、５秒設定ボタン１２Ｃ、１０秒設定ボタン１２Ｄ、２０秒設定ボタン１２Ｅ、表示画面１２Ｆを有する。これらの操作領域１２は制御装置６０と接続されており、各種情報の入出力を行う。
【００２７】
電源ボタン１２Ａは、光照射装置１の電源のＯＮ・ＯＦＦを行う。オート設定ボタン１２Ｂは動作モード（手動・自動）を設定する。５秒、１０秒、２０秒設定ボタン１２Ｃ、１２Ｄ、１２Ｅは、ＬＥＤ光源群４０の照射時間を設定する。表示画面１２Ｆは、照射時間のカウントダウン、カウントアップ、設定モード、エラーなど、各種データを表示する。
【００２８】
天井部１０Ａの挿入口１０Ｄ近辺には、内側に、延長プレート１０Ｅがスライド自在に配置される。この延長プレート１０Ｅは、利用者側に引き出されることで、天井部１０Ａを、利用者側に拡張する。この延長プレート１０Ｅは、内部のＬＥＤ光源４０の光を遮断することで、利用者の目に到達する量を低減させる。天井部１０Ａの内側には、下方の障害物まで距離を測定する距離センサー１１が配置されており、通常は、指配置用テーブル２０までの距離が出力される。筐体内に手が挿入されると、手までの距離を出力する。この出力値の変化に基づいて、手が挿入されたか否かを検知する。
【００２９】
下部筐体１６は、床側に配置されて上部筐体１０と連結される。この下部筐体１６は、上部筐体１０に対して着脱自在となっている。例えば、床に位置する足の爪に紫外線を照射する際は、下部筐体１６及び指配置用テーブル２０を取り外した状態で、上部筐体１０側のみを足の上に覆いかぶせるようにして紫外線を照射する（図示省略）。
【００３０】
図２には、ＬＥＤ光源群４０の配置を下側らか見上げた状態が示されている。ＬＥＤ光源群４０は複数のＬＥＤを備えて構成される。ＬＥＤ光源群４０は、上部筐体１０の内壁に沿って配置される内カバー３０に固定される。従って、内カバー３０も、天井部３０Ａ、側面部３０Ｂ、奥部３０Ｃを備える。内カバー３０の奥部３０Ｃは、中央の奥行きが最も深く、両側の奥行きが浅くなるように一対の傾斜面３２が形成される。この内カバー３０は、利用者の手足の指先の少なくとも爪側を覆うように配置され、本発明の爪側カバー部材に相当する。
【００３１】
内カバー３０の内壁は、紫外線を吸収する光吸収面となる。この光吸収面は、内壁に紫外線吸収特性を有する黒色塗料を塗布することで実現する。これにより、紫外線の乱反射を防ぎつつ、ＬＥＤ光源群４０からの直接光を主として爪に照射させることで、安定した光照射を実現する。また、内カバー３０内で紫外線が乱反射して、爪以外の皮膚にダメージを与えることを抑制する。
【００３２】
ＬＥＤ光源群４０は、親指の爪に紫外線を照射する第１ＬＥＤ４０Ａ、小指の爪に紫外線を照射する第２ＬＥＤ４０Ｂ、人差し指又は薬指の爪に紫外線を照射する第３ＬＥＤ４０Ｃ、中指の爪に紫外線を照射する第４ＬＥＤ４０Ｄを有する。第１ＬＥＤ４０Ａは、親指上方の天井部３０Ａに１つ、側面部３０Ｂの奥行き方向に沿って２つ配置される。第２ＬＥＤ４０Ｂは、小指上方の天井部３０Ａに指の長手方向に沿って２つ、奥部３０Ｃの傾斜面３２に１つ配置される。第３ＬＥＤ４０Ｃは、人差し指又は薬指上方の天井部１０Ａに指の長手方向に沿って４つ、奥部１０Ｃの傾斜面３２に１つ配置される。第４ＬＥＤ４０Ｄは、中指上方の天井部１０Ａに指の長手方向に沿って４つ、奥部１０Ｃの最奥部分に一つ配置される。なお、中央に位置する第４ＬＥＤ４０Ｄを除き、第１〜第３ＬＥＤ４０Ａ〜４０Ｃは、左右両手、左右両足に対応するように中心線に対して線対称に配置される。
【００３３】
図３にはＬＥＤ照明群４０の配置と挿入される手の位置関係が示されている。例えば中指に対応する第４ＬＥＤ４０Ｄについて詳細に説明すると、これらは、爪に対向配置されて爪の表面に光を照射する対向側のＬＥＤ４０Ｄ１〜４と、指の延長線上近傍に配置されて、指先に向かって指の軸方向から光を照射する指先側ＬＥＤ４０Ｄ５を備える。対向側と指先側のＬＥＤによる２種類の光軸の組み合わせによって、各爪に対して効果的に紫外線を照射して、短時間（例えば１０秒）によるネイル樹脂の硬化を実現する。なお、各爪に対して配置されるＬＥＤの数に特に制約はないが、爪の表面に対向する場所に少なくとも１つ（好ましくは複数）、それ以外の角度（側面や先端側）に少なくとも１つ配置して、２種類の光軸を爪に向かって交差させることが好ましい。
【００３４】
図１（Ｂ）に戻って、内カバー３０と上部筐体１０の隙間には、ＬＥＤ光源群４０用の配線基板４２、電源装置５０、制御装置６０が収容される。配線基板４２には、ＬＥＤ光源群４０が固定される。電源装置５０は、電源ケーブル７０を介して供給される電気を所定の直流電圧に変換する。この電源装置５０はバッテリーを内蔵しており、電源ケーブル７０から供給される電流を蓄電できる。従って、電源ケーブル７０を取り外しても、使用可能となっている。
【００３５】
図４には、指配置用テーブル２０が示されている。指配置用テーブル２０上には、利用者の手の掌が当接する。即ち、指配置用テーブル２０は、指先の腹に対向しており、本発明の腹側カバー部材に相当する。指配置用テーブル２０には、少なくとも親指から小指までの内、少なくとも４本の指先の腹側が配置されることが好ましく、本実施例では、親指から小指までの５本の指先をまとめて載置できる大きさとなっている。
【００３６】
指配置用テーブル２０は、指先に設けられる拡張シール（ネイル樹脂保持部材）１１０のシール端部１１２（図１３参照）を収容する収容部２２が形成される。収容部２２は、具体的に、小指又は親指用の第１開口２２Ａ、人差し指又は薬指用の第２開口２２Ｂ、中指用の第３開口２２Ｃを備える。なお、中央に位置する第３開口２２Ｃを基準として、第１、第２開口２２Ａ、２２Ｂは線対称に一対配置される。結果、収容部２２は、合計５つの開口が形成される。勿論、本発明では、この開口の数は特に限定されるものではない。好ましくは、少なくとも４か所に形成される。
【００３７】
図５に示されるように、収容部２２は、指先の指幅よりも狭い領域を含んでおり、本実施形態では全体的に細いスリット形状となっている。従って、指配置用テーブル２０は、指の腹側を支持しつつも、シール端部１１２を収容部２２に挿入できる。結果、シール端部１１２を予めカットしなくても、シール端部１１２と指配置用テーブル２０の干渉が回避される。
【００３８】
図４に戻って、特に本実施形態では、収容部２２が、指の長手方向に延びるスリット形状を含んでおり、収容部２２の端部は、指配置用テーブル２０の利用者側縁部２０Ａに達している。従って、利用者は、シール端部１１２を、収容部２２の利用者側縁部２０Ａから挿入し、指先を奥側にスライドさせる。収容部２２の周囲には、指先（第一関節よりも先端側）の腹と当接する突起２４が形成される。この突起２４に指先の腹が接触した時点で、利用者は指のスライドを停止させる。このように、シール端部１１２を収容部２２で案内しながら、突起２４を用いて最適な位置で指先を停止させると、各指先の爪に対して、ＬＥＤ光源群４０が最適配置される。結果、効率的にネイルジェルを硬化させることができる。
【００３９】
なお、ここではシール端部１１２を収容する収容部２２が、スリット形状を含む場合を例示したが、本発明はこれに限定されない。例えば図６に示される指配置用テーブル２０のように、指自体を複数の支柱２６で支持するようにしてもよい。図７に示されるように、支柱２６の高さＨ１を、シール端部１１２のはみ出し長さＨ２より大きく設定する。このようにすると、支柱２６以外の領域が全て収容部２２となるので、シール端部１１２と指配置用テーブル２０の干渉を防止できる。
【００４０】
また例えば図８に示される指配置用テーブル２０のように、少なくとも指の第１関節から先端側の全体を開放しつつ、指の基端側を支持する支持台２８を設けることもできる。このようにすると、図９に示されるように、支持台２８よりも奥側の領域が全て収容部２２となるので、指配置用テーブル２０とシール端部１２２の干渉をより一層抑制できる。支持台２８の上には、各指に対応する突起２４が形成されており、この突起２４に指の第１〜第２関節の間を接触させることで、指の位置決めを行う。この際、特に図示しないが、シール端部１２２を、手前側から収容部２２まで案内するスリットを支持台２８に設けるようにしてもよい。
【００４１】
また、他に例示した指配置用テーブル２０の全てに共通することであるが、図１０に示されるように、指配置用テーブル２０をスライド自在に配置することが好ましい。手前側に指配置用テーブル２０を引き出して、手を載せてから、指配置用テーブル２０と一緒に手を筐体内に挿入することも可能である。
【００４２】
図１１には、ＬＥＤ光源群４０の回路構成が示されている。本実施形態では、第１ＬＥＤ４０Ａ、第２ＬＥＤ４０Ｂ、第３ＬＥＤ４０Ｃ、第４ＬＥＤ４０Ｄの各々のＬＥＤを跨るように直列接続される。結果、例えば、第４ＬＥＤ４０Ｄに属するＬＥＤ素子は、並列接続されることになるので、一部の配線に何らかのトラブルが生じても、中指の爪を照射する全てのＬＥＤが点灯不能になる事態を回避できる。即ち、各爪の複数のＬＥＤに対して、複数の配線を介して別々に電流を供給することが好ましい。
【００４３】
次に、制御装置６０によるＬＥＤ光源群４０の点灯制御モードについて説明する。
【００４４】
（１）タイマーモード：電源ボタン１２Ａを押してから、手を挿入し、５秒設定ボタン１２Ｃ、１０秒設定ボタン１２Ｄ、２０秒設定ボタン１２Ｅの組み合わせて照射時間を設定する。設定と同時にＬＥＤ光源群４０が点灯する。表示画面１２Ｆにはカウントダウン形式による「残秒数」が表示される。設定時間が経過すると、ＬＥＤ光源群４０が自動的に消灯する。
【００４５】
（２）オートモード（基本）：電源ボタン１２Ａを押してからオート設定ボタン１２Ｂを押す。その後、手を挿入すると、筐体内の距離センサー１１によって手の挿入を自動検知して、ＬＥＤ光源群４０を自動点灯させる。表示画面１２Ｆには、カウントアップ形式による「照射経過時間」が表示される。望みの時間が経過したら、手を筐体から抜き出す。筐体内の距離センサー１１によって手の抜き出しが自動検知され、ＬＥＤ光源群４０が自動消灯する。再び手を挿入すると、自動的にＬＥＤ光源群４０が点灯し、表示画面１２Ｆには、零秒から再び照射経過時間がカウントアップ表示される。
【００４６】
（３）オートモード（タイマー付）：電源ボタン１２Ａを押してからオート設定ボタン１２Ｂを押し、更に、５秒設定ボタン１２Ｃ、１０秒設定ボタン１２Ｄ、２０秒設定ボタン１２Ｅの組み合わせで照射時間を設定する。距離センサー１１によって手の挿入が検知される間だけ、ＬＥＤ光源群４０が点灯し、表示画面１２Ｆには、設定時間からカウントダウン形式による「残秒数」が表示される。途中で手を抜き出したときは、「残秒数」が一時停止し、再び手を挿入すると、残秒数のカウントダウンが再開する。残秒数が零になるとＬＥＤ光源群４０が自動消灯する。なお、上記（１）のタイマーモードの途中で、オート設定ボタン１２Ｂを押した場合も、（１）で設定された時間で、オートモード（タイマー付）の状態に遷移する。
【００４７】
以上、本実施形態の光照射装置１では、指の腹側を支持する指配置用テーブル２０における少なくとも指先近傍に収容部２２が形成される。結果、拡張シール１１０のシール端部１１２を収容することができるので、シール端部１１２をハサミでカットすることなく、そのまま、指を挿入することができる。結果、光照射装置１内において、指先に装着される拡張シール１１０の姿勢が安定し、かつ、シール端部１１２をカットすることによる拡張シール１１０の粘着不良も抑制され、美しい儀爪を形成することができる。また、この指配置用テーブル２０は、少なくとも４本の指先をまとめて配置することができ、収容部２２も、少なくとも４本の指先のシール端部１１２を収容できるので、効率的にネイルジェルを硬化させることができる。
【００４８】
更に収容部２２は、指先の指幅よりも狭い領域を含んでいる。換言すると、収容部２２の狭い領域に、シール端部１１２を挿入又は通過させつつも、この狭い領域の両側で、指先の支持機能を確保出来る。特に本実施形態のようなスリット形状にすれば、シール端部１１２を案内しつつも、指先の腹を支持できる。更に収容部２２の周囲に、指先の腹と当接する突起２４が形成されるので、指先の停止位置を利用者が触感で把握できる。結果、ＬＥＤ光源群４０に対して最適な場所に指先を配置できる。
【００４９】
また、ＬＥＤ光源群４０は、爪に対向配置される対向側光源と、指の延長線上近傍に配置される指先側光源を備える。結果、ＬＥＤからの光軸が爪の近傍で交差し、爪に対して紫外線を複数方向から集中的かつ多面的に照射できる。また、内カバー３０の内壁には、光吸収性の材料による光吸収面が形成されるので、紫外線の乱反射を防止し、手や足の皮膚に紫外線によるダメージを与えることを抑制できる。
【００５０】
なお、本実施形態では、５本の指先に対して、まとめて紫外線を照射する構成を例示したが、本発明はこれに限定されない。例えば図１２に示されるような光照射装置２００のように、１本の指先に対して、個別に紫外線を照射するペン型タイプにすることもできる。この光照射装置２００は、電池や制御装置（図示省略）が収容される本体部２０１と、指を一本ずつ挿入するための筒状の挿入部２０２を備えるようにする。挿入部２０２の内周壁の一方の面は、利用者の爪を覆う爪側カバー部材２０２Ａとなり、他方の面は、指の腹を覆う腹側カバー部材２０２Ｂに相当する。腹側カバー部材２０２Ｂには、シール端部１１２を挿入するためのスリット（収容部）２２２が形成される。このスリット２２２からシール端部１１２が外部にはみ出すので、このシール端部１１２の位置によって指先の位置を推測可能となる。また、このシール端部１１２が収容部２２２に挿入されている限り、爪が、ＬＥＤ光源群２４０に正対する。このようにして、指先の位置決め自体を簡素化できる。
【００５１】
手動スイッチ２３０でＬＥＤ光源群２４０をＯＮにすれば、爪に対してＬＥＤ光源群２４０から紫外線が照射され、ネイル樹脂を簡便に硬化させることができる。また、ＬＥＤ光源群２４０が、挿入部２０２によって覆われているので、紫外線の漏れ出しも抑制することが可能となる。
【００５２】
尚、本発明の光照射装置は、上記した実施の形態に限定されるものではなく、本発明の要旨を逸脱しない範囲内において種々変更を加え得ることは勿論である。
【産業上の利用可能性】
【００５３】
本発明の光照射装置は、光硬化性樹脂を用いた儀爪を硬化させる様々な場面に適用することが可能である。
【符号の説明】
【００５４】
１        ネイル樹脂硬化用光照射装置
１０      上部筐体
１６      下部筐体
２０      指配置用テーブル
３０      内カバー
４０      ＬＥＤ光源群
４２      配線基板
５０      電源装置
６０      制御装置
７０      電源ケーブル
【図１】
2014204900.tif 000003
【図２】
2014204900.tif 000004
【図３】
2014204900.tif 000005
【図４】
2014204900.tif 000006
【図５】
2014204900.tif 000007
【図６】
2014204900.tif 000008
【図７】
2014204900.tif 000009
【図８】
2014204900.tif 000010
【図９】
2014204900.tif 000011
【図１０】
2014204900.tif 000012
【図１１】
2014204900.tif 000013
【図１２】
2014204900.tif 000014
【図１３】
2014204900.tif 000015